(57)【要約】【課題】  正しく投入された正規のメダルのみを正確に検出し、不正行為や偽造メダルの投入を防止する。【解決手段】メダル投入口より投入されたメダルＭを案内して筺体内に取込むメダル通路に、メダルを計数し、かつ通過方向を検出するメダル通過方向検出手段を備える遊技機において、前記メダル通路における前記メダル通過方向検出手段の下流側のメダルシュート５３に、前記メダル通路を起立状態で転動するメダルＭの少なくとも２個所に接触可能な第１端子５６と第２端子５７とを備え、該第１、第２端子５６、５７にメダルＭが接触することにより導通信号を発するメダル検出手段５５を設ける。【選択図】  図８
2005334212.tif 000002
【特許請求の範囲】
【請求項１】
メダル投入口より投入されたメダルを案内して筺体内に取込むメダル通路に、メダルを計数し、かつ通過方向を検出するメダル通過方向検出手段を備える遊技機において、
前記メダル通路における前記メダル通過方向検出手段の上流側もしくは下流側に、前記メダル通路を起立状態で転動するメダルの少なくとも２個所に接触可能な第１端子と第２端子とを備え、該第１、第２端子にメダルが接触することにより導通信号を発するメダル検出手段を設けたことを特徴とする遊技機。
【請求項２】
メダル検出手段を、メダル通過方向検出手段の下流側においてメダル通路の出口端と連続するように設けられ、メダル通路より出たメダルを筺体内のホッパに向かって案内するメダルシュートの案内路内に設けた、請求項１記載の遊技機。
【請求項３】
第１端子がメダルの一側面に、かつ第２端子がメダル外周面の下端に接触するようにした、請求項１または２記載の遊技機。
【請求項４】
メダルシュートの案内路をほぼＵ字状断面とし、その案内路の一方の内側面に第１端子を設けるとともに、案内路の底面に第２端子を、互いの上面が同一面に整合するように設けた、請求項２または３記載の遊技機。
【請求項５】
メダルを、垂直の起立位置から一方に傾斜して転動するようにするとともに、第１端子を、メダルの傾斜方向の側面と接触するように設けた、請求項１〜４のいずれかに記載の遊技機。
【請求項６】
第１端子を、先端がメダルの側面と接触するように、上流側から下流側に向かって漸次傾斜する傾斜面を有するものとした、請求項３〜５のいずれかに記載の遊技機。
【発明の詳細な説明】
【技術分野】
【０００１】
本発明は、例えばスロットマシンの等の遊技機に係り、特に、その投入メダルの検出装置に関する。
【背景技術】
【０００２】
従来、スロットマシンのような遊技機における投入メダルの検出装置としては、投入されたメダルを転動通過させて内部のホッパー等に取込むガイド部材に、メダルの通過方向に沿って２個のフォトセンサを設け、それらの光軸を順番に遮ることにより、メダルを計数するとともに、その通過を検知するようにしたものがある（例えば特許文献１参照）。
【０００３】
また、メダルを通過させるガイド部材に、２個１組のフォトセンサを、メダルの通過方向に沿って２組設け、２組のフォトセンサによりメダルの通過を検知するようにしたものもある。
【特許文献１】特開２００２−２４８２１０号公報
【特許文献２】特許第２７４２７５６号公報
【発明の開示】
【発明が解決しようとする課題】
【０００４】
上記特許文献１に記載されている従来の投入メダルの検出装置においては、２個のセンサがメダルの通過時間と通過方向を検知するので、例えば糸吊りメダルや遮光板等を使用した不正行為が行われる恐れは小さい。
【０００５】
しかし、両センサは、メダルが光軸を遮ることにより作動する遮光式のセンサであるため、正規のメダルと同形ではあるが、正規の導電性（金属製）メダルでない、例えば合成樹脂等よりなる非導電性の偽造メダルを使用した際には、正規のメダルと誤認されて計数される恐れがある。
【０００６】
特許文献２に記載されている投入メダルの検出装置は、２個１組のセンサを２組設け、上流側の２個のセンサによりメダルの通過を検知したことを条件として、下流側の２個のセンサによりメダル数を計数するようになっているため、上記のような糸吊りメダル等による不正行為が行われる恐れはより小さくなる。
【０００７】
しかし、２組の各センサは、上記と同様、遮光式のセンサであるため、合成樹脂等の偽造メダルを使用された際、正規のメダルとして計数される恐れがある。
【０００８】
また、上記両特許文献に記載されているようなフォトセンサのみでは、例えばメダル投入口により赤外線発光装置等を差し込み、センサ受光部で赤外線を発射させるなどした際に、フォトセンサが誤作動を起こし、メダルを実際に投入したと同様の仮想のメダル投入状態とする不正行為がなされる恐れがある。
【０００９】
本発明は、上記問題点に鑑みてなされたもので、正しく投入された正規のメダルのみを確実に検出し、不正行為や偽造メダルの投入を防止しうるようにした遊技機を提供することを目的としている。
【課題を解決するための手段】
【００１０】
本発明によると、上記課題は、次のようにして解決される。
【００１１】
(１)メダル投入口より投入されたメダルを案内して筺体内に取込むメダル通路に、メダルを計数し、かつ通過方向を検出するメダル通過方向検出手段を備える遊技機において、前記メダル通路における前記メダル通過方向検出手段の上流側もしくは下流側に、前記メダル通路を起立状態で転動するメダルの少なくとも２個所に接触可能な第１端子と第２端子とを備え、該第１、第２端子にメダルが接触することにより導通信号を発するメダル検出手段を設ける。
【００１２】
(２)上記(１)項において、メダル検出手段を、メダル通過方向検出手段の下流側においてメダル通路の出口端と連続するように設けられ、メダル通路より出たメダルを筺体内のホッパに向かって案内するメダルシュートの案内路内に設ける。
【００１３】
(３)上記(１)または(２)項において、第１端子がメダルの一側面に、かつ第２端子がメダル外周面の下端に接触するようにする。
【００１４】
(４)上記(２)または(３)項において、メダルシュートの案内路をほぼＵ字状断面とし、その案内路の一方の内側面に第１端子を設けるとともに、案内路の底面に第２端子を、互いの上面が同一面に整合するように設ける。
【００１５】
(５)上記(１)〜(３)項のいずれかにおいて、メダルを、垂直の起立位置から一方に傾斜して転動するようにするとともに、第１端子を、メダルの傾斜方向の側面と接触するように設ける。
【００１６】
(６)上記(３)〜(５)項のいずれかにおいて、第１端子を、先端がメダルの側面と接触するように、上流側から下流側に向かって漸次傾斜する傾斜面を有するものとする。
【発明の効果】
【００１７】
本発明によると、次のような効果を奏することができる。
(ａ)請求項１記載の発明によれば、メダル通過方向検出手段により投入メダルの通過方向が検出されるとともに、メダル検出手段により投入メダルの材質、すなわち導電性のメダルか否かが検出されるので、糸吊りメダル等による不正行為や非導電性の偽造メダル（非金属製メダル）を使用した不正行為が防止でき、正しく投入された正規のメダルのみを確実に検出して計数し、ゲームを開始することができる。
【００１８】
(ｂ)請求項２記載の発明によれば、メダル検出手段は、メダル投入口より離れた奥部に位置して設けられるので、金属板をメダル投入口より差し込んで第１、第２端子を導電させようとするには、長い金属板を必要とし、従って金属板を用いた不正行為が行われる恐れは極めて小さい。
【００１９】
(ｃ)請求項３記載の発明によれば、第１、第２端子がメダルの転動通過の妨げとならないので、メダルを円滑に筺体内に取込むことができる。
【００２０】
(ｄ)請求項４記載の発明によれば、メダルがＵ字状の案内路を転動通過する際に、第１端子と第２端子とが、それぞれメダルの一側面と外周面の下端とに接触するとともに、メダルの通過を妨げることもない。
【００２１】
(ｅ)請求項５記載の発明によれば、メダルの一側面を第１端子に確実に接触させることができる。
【００２２】
(ｄ)請求項６記載の発明によれば、第１端子とメダルの側面との接触抵抗を小さくしうるとともに、万一メダルの外周面が第１端子に当接したとしても、傾斜面に案内されて支障なく前方に転動することができる。
【発明を実施するための最良の形態】
【００２３】
以下、本発明の一実施形態を、図面に基づいて説明する。
図１は、本発明の一実施形態を適用した遊技機（スロットマシン）の正面図である。なお、以下の説明では、図１における紙面の手前方向を遊技機の前方、紙面の奥方面を同じく後方、紙面左方を同じく左側、紙面右方を同じく右側とする。
【００２４】
遊技機(１)は、遊技媒体を円板状のメダル（コインも含む）とし、このメダルを、筺体(２)の前面に設けた前扉(2a)の右側に設けられた後述のメダル投入部(６)に投入することにより、所定のゲームが行われるものである。筺体(２)内には、外周面に複数種類の図柄が付記された３個の回胴体(3a)を内蔵した図柄表示装置(３)、各装置を制御するための制御基板、照明装置、及び音響装置、並びにその他の装置等が収容されている。
【００２５】
また、前扉(2a)の前面側には、上方から、図柄表示装置(３)の図柄を視認可能な表示窓(2b)、図柄表示装置(３)の入賞有効ラインを表示する表示ランプ(４)、入賞有効ライン上に並ぶ図柄が予め定められた組み合わせになったときに発生する入賞時のメダルの払い出し枚数等を表示する表示器(５)、メダルを１枚ずつ筺体(２)内に投入可能なメダル投入部(６)、各種操作スイッチが配置されたスイッチ配置部(７)、払出されるメダル及び返却されるメダルの払出口(８)、払出口(８)から出てくるメダルを受け入れる受け皿(９)が設けられている。
【００２６】
スイッチ配置部(７)には、クレジット状態のメダルを精算するときに操作される精算スイッチボタン(10)、クレジット状態のメダルを１枚ずつゲームに投資するときに操作される１枚投入スイッチボタン(11)、最大数の３枚のメダルをゲームに投資するときに操作されるＭＡＸベットスイッチボタン(12)、図柄表示装置(３)における各回胴体(3a)の回転を開始させるときに操作されるスタートレバー(13)、及び各回胴体(3a)の回転を停止させるときに操作されるストップスイッチボタン(14)等が配置されている。
【００２７】
スロットマシン等の遊技機(１)においてゲームは、メダル投入部(６)に投入されたメダルを遊技機(１)の内部に取り込ませてクレジット状態とし、１枚投入スイッチボタン(11)またはＭＡＸベットスイッチボタン(12)を操作して、スタートレバー(13)を操作することによって開始される。
【００２８】
メダル投入部(６)より投入されたメダルは、筺体(２)の内部に設けられ、かつメダル投入部(６)の真下に配置された後述のメダルセレクター(15)に送出されて、メダルの真偽及び投入が検知された後、メダルセレクター(15)の下方に配置されたメダル払出ホッパ（図示略）に送出される。
【００２９】
メダルが遊技機(１)の内部に取り込まれた後、スタートレバー(13)を操作すると、３個の回胴体(3a)が一斉に回転して、ゲームが開始される。所定時間が経過した後、各回胴体(3a)に対応するストップスイッチボタン(14)を順次操作して、各回胴体(3a)の回転を個別に停止させることによって、入賞有効ライン上に並ぶ図柄の組み合わせにより、入賞の有無、及び賞の大小に応じたメダルの配当枚数が決定される。入賞した場合には、メダルが、メダル払出ホッパにより、配当枚数分だけ払出口(８)から受け皿(９)に払い出される。
【００３０】
図２は、前扉(2a)の下半部の後面図を示すもので、上記メダル投入部(６)の下方には、メダルセレクター(15)が設けられている。このメダルセレクター(15)は、図３〜図６に詳細を示すように、合成樹脂よりなる平面視ほぼコ字状のセレクターベース(16)と、その後面側に配設される合成樹脂製の開閉ガイド板(17)と、金属製の可動ガイドプレート(18)と、セレクターベース(16)の前面側に配設されるソレノイド(19)と、メダル通過方向検出手段(20)とを主要部として構成されている。
【００３１】
セレクターベース(16)の後面には、上述したメダル投入部(６)の投入口と連通する垂直路(21a)と、この垂直路(21a)の下端に円弧状の湾曲路(21b)を介して連続するとともに、図４及び図５における右方の側板(16a)の下端に開口したスリット状の出口孔(22)に連通する、下方に緩やかに傾斜する傾斜路(21c)とからなるメダル通路(21)が形成されている。このメダル通路(21)の幅は、メダルの直径とほぼ等しく、かつその前面には、投入されたメダルの通過抵抗を低減して円滑に転動通過させるための複数の突条(23)が、互いに平行をなして突設されている。
【００３２】
また、上記湾曲路(21b)と傾斜路(21c)、及び該傾斜路(21c)の側端と連通する出口孔(22)は、垂直面に対し、上部が後方を向くように約１５°後傾させてある（図５、図６参照）。
【００３３】
これは、詳細は後述するが、正規のメダルよりも小径のメダル（又はコイン）が投入されたときや、遊技機が未稼働状態にあるとき、投入メダルを自重により横倒れさせてメダル通路(21)より排出するためである。
【００３４】
セレクターベース(21)の後面の下端部には、投入されたメダルの下端を受支して転動させるための硬質金属製の底板(24)が、その上端面が湾曲路(21b)と傾斜路(21c)の下端と同一面に整合するように、前面側よりねじ(25)により固定されている。
【００３５】
上記開閉ガイド板(17)の上端のやや側方寄りは、セレクターベース(16)の後面上部の隅部に突設した１対の支持片(26)(26)に、ピン(27)により回動自在に枢着され、下端部の前面が底板(24)の後面と当接するように、ねじりばね(28)により常時セレクターベース(16)に向かって付勢されている。
【００３６】
開閉ガイド板(17)における湾曲路(21b)の下部と傾斜路(21c)とに対向する部分には、後記する返却ダクト(33)にメダルを横倒しさせて排出するための排出口(29)が大きく開口されている。
【００３７】
垂直路(21a)と対向する後面は、メダル１枚が通過しうる案内路(30)が形成されるようにして、開閉ガイド板(17)により閉塞されている（図５参照）。
【００３８】
図５に示すように、開閉ガイド板(17)の下端部と、セレクターベース(16)における湾曲路(21b)と傾斜路(21c)の下端部との対向面、及びそれらの間に位置する底板(24)の上端面により、メダルの下端部を転動自在に案内するガイド凹溝(31)が形成されている。
【００３９】
開閉ガイド板(17)におけるメダル通過方向の側端下部に連設された側片(17a)の内側面にには、平面視内向Ｌ字状をなす金属製のカバープレート(32)が取付けられている。このカバープレート(32)は、上記排出口(29)より横倒れして排出されたメダル等を受け止めて、メダルセレクター(15)の直下に設けた返却ダクト(33)（図２参照）に投入し、払出口(８)から受け皿(９)に返却するためのものである。
【００４０】
図３及び図４に示すように、セレクターベース(16)の前面上部に突設した支持片(34)には、リジェクトレバー(35)の上端が、ピン(36)により前後方向に回動自在に枢着され、その下方を向く後部側の押圧片(35a)は、セレクターベース(16)の開口(37)を挿通して、後面が開閉ガイド板(17)の前面と当接しうるようになっている。
【００４１】
図１に示すように、前扉(2a)の前面におけるメダル投入部(６)の直下に設けたリジェクトボタン(38)を押すと、その後端が上記リジェクトレバー(35)の前部側の下向片(35b)の前面と当接して後方に回動させることにより、押圧片(35a)が開口(37)より突出し、開閉ガイド板(17)を後方に回動させる。
【００４２】
これにより、セレクターベース(16)と開閉ガイド板(17)との間が大きく開かれ、メダル通路(21)に詰まったメダルや異物が返却ダクト(33)に排出される。
【００４３】
上述した可動ガイドプレート(18)は、図３、図４、及び図７の断面図に示すように、セレクターベース(16)の後面側において傾斜路(21c)の上端部と対向するガイド片(18a)と、その中央部に連設され、セレクターベース(16)を貫通して前方に延出する作動片(18b)と、同じく、セレクターベース(16)を貫通して前方に延出する１対の枢支片(18c)(18c)とを備え、両枢支片(18c)を、セレクターベース(16)の前方に突設した１対の支持片(39)に、ねじりばね(40)を挿通したピン(41)に枢着することにより、前後方向に回動自在に、かつガイド片(18a)が常時傾斜路(21c)と離間する方向に付勢されるようにして取付けられている。
【００４４】
上記一方（左方）の枢支片(18c)の前端には、長寸の垂下片(42)が連設され、その下端の後向突片(42a)は、セレクターベース(16)を貫通して、常時傾斜路(21c)の出口部付近に突出している。
【００４５】
この後向突片(42a)は、ソレノイド(19)がオフとなっているとき、すなわち遊技ホールが準備中で遊技機が未稼働状態にあるとき、投入されたメダル(Ｍ)の通過をブロックして、メダル払出ホッパに送り込まれるのを防止し、返却ダクト(33)に強制的に投入するためのものである。
【００４６】
遊技機が稼働状態にあるときには、ソレノイド(19)はオンとなり、その前面側の傾動板(43)が吸着されて上端部の押動片(43a)が後方に移動することにより、図７に示すように、 可動ガイドプレート(18)における作動片(18b)の前端の起立片が後向きに押圧される。
【００４７】
これにより、下端のガイド片(18a)は、傾斜路(21c)と接近する方向に移動し、ガイド片(18a)の下端部と傾斜路(21c)との対向面間に、メダル(Ｍ)の上端部をガイドするガイド溝が形成される。また同時に、上記後向突片(42a)が傾斜路(21c)から前方に引っ込むことにより、投入されたメダル(Ｍ)は、払出ホッパに向かって転動することができる。
【００４８】
ソレノイド(19) をオフとすると、傾動板(43)の下端部が復帰ばね(44)により引っ張られ、上端部の押動片(43a)が前方に移動することにより、可動ガイドプレート(18)は、ピン(41)を中心として後向きに回動し、図７の２点鎖線で示すように、ガイド片(18a)が後方に回動して傾斜路(21c)より離間する。
【００４９】
これにより、メダル(Ｍ)の上端部をガイドするガイド溝が開かれ、メダル(Ｍ)は２点鎖線のように、後傾させた傾斜路(21c)を通過する間に自重により横倒しされて返却ダクト(33)に排出される。
【００５０】
なお、ソレノイド(19)がオンされた状態であっても、正規のメダル(Ｍ)の直径より小さいメダル等が投入された際には、その上端部がガイド片(18a)によりガイドされないので、横倒しされて返却ダクト(33)に排出される。
【００５１】
上述したメダル通過方向検出手段(20)は、図３、図４、及び図６に示すように、側面視倒立Ｌ字状をなす基板(45)における下向片(45a)の上端部と下部とに、それぞれ投光軸が後方を向くようにした投光器(46)と、受光軸が斜め上下方向を向くようにした受光器(47)との、フォトマイクロセンサよりなる透過型の検知センサを、メダル(Ｍ)の通過方向に沿って２組ずつ組込んで構成されている。
【００５２】
基板(45)の後向片(45b)の後端下部には、投光器(46)よりの光軸を受光器(47)に向かって屈折させる反射板(48)が設けられている。
【００５３】
メダル通過方向検出手段(20)は、その後向片(45b)がセレクターベース(16)を貫通して傾斜路(21c)の出口部付近の上方に突出するとともに、反射板(48)よりの光軸(49)が、投入メダル(Ｍ)の通過時にその上端部により遮られるようにして、セレクターベース(16)の前面にねじ(50)により固定されている。
【００５４】
メダル通過方向検出手段(20)における２組の検知センサの受光器(47)がオン、オフすることにより、投入されたメダル(Ｍ)の通過枚数が計数されるとともに、上流側と下流側の検知センサの投・受光器(46)(47)がオン、オフする順序及び時間により、メダル(Ｍ)の通過方向が検知され、糸吊りメダル等による引き戻しなどの不正行為が検出される。
【００５５】
なお、投・受光器(46)(47)及び前述したソレノイド(19)は、それぞれ図３に示すハーネス(51)(52)により、図示しない制御装置に接続されている。
【００５６】
以上のように構成されたメダルセレクター(15)におけるメダル(Ｍ)の通過方向の側端には、図８、及び図９にも示すように、上記メダル通路(21)の出口孔(22)より出たメダル(Ｍ)を、メダル払出ホッパに案内して投入するためのメダルシュート(53)が取付けられている。
【００５７】
メダルシュート(53)は、筺体(２)内のメダル排出ホッパの直上に向かって、若干下傾しながら延出し、外周部には、平面視円弧状に湾曲するほぼＵ字溝状のメダルの案内路(54)が、メダルセレクター(15)の出口孔(22)と連続するようにして形成されている。
【００５８】
案内路(54)内におけるメダルの入口端部の後壁面(54a)と底面(54b)と底面(54b)とには、メダル検出手段(55)が設けられている。
【００５９】
メダル検出手段(55)は案内路(54)を転動しながら通過するメダル(Ｍ)の直径よりも下位の後壁面(54a)に、若干メダル通路(54)の中央に向かって突出するように取付けられた、先端が凸曲面状に湾曲するとともに、上流側の半分が斜め前方に向かって漸次傾斜する平面視山形状の導電性第１端子(56)と、その下方における案内路(54)の底面(54b)に上面が同一面に整合するように埋設された帯板状の導電性第２端子(57)とからなり、第１端子(56)の先端には、メダルセレクター(15)の出口孔(22)より後方（筺体  側）に傾斜した状態で転動してきたメダル(Ｍ)の後部側面が、また第２端子(57)には、同じく転動するメダル(Ｍ)の下端外周面が、それぞれ接触するようになっている。
【００６０】
第１、第２端子(56)(57)は、図示しないハーネスを介して制御装置と電源装置とに接続されており、両端子(56)(57)に正規の導電性（金属製）メダル(Ｍ)が同時に接触することにより、該メダル(Ｍ)がスイッチの作用をなして両端子(56)(57)同士が導通し、その導通信号により正規のメダル(Ｍ)が通過したことが検知される。
【００６１】
次に、図１０を参照して、正規のメダル(Ｍ)が投入されたか否かの検出要領について説明する。
【００６２】
メダルセレクター(15)に投入されたメダル(Ｍ)は、まずメダル通過方向検出手段(20)において、正常に１枚のメダルが投入されたか否かが検出される。
【００６３】
すなわち、メダル通過方向検出手段(20)の上流側と下流側の検知センサが順番に、かつ予め設定された時間(t1)(t2)だけオフ、オンしたとき、条件１を満たし、１枚のメダルが正常に投入されたと認識されて計数される。
【００６４】
従って、糸吊りメダルや遮光板等を用いた際には、上流側と下流側の検知センサの作動タイミングに狂いが生じ、条件１を満たさなくなるため、エラーが発生し、不正行為が防止される。
【００６５】
メダル通過方向検出手段(20)を正常に通過したメダルが、メダル検出手段(55)に到達し、それを作動させるまでの時間(t3)が予め設定された範囲内であったとき、条件２を満たし、それから外れた場合にはエラーを発生させる。
【００６６】
条件２を満たしたメダルが、メダル検出手段(55)の第１端子(56)と第２端子(57)とに接触して両端子が導通し、導通信号を発している時間(t4)が、予め設定された範囲内であったとき、条件３を満たし、それ以外のときエラーを発生させる。
【００６７】
メダル検出手段(55)では、導電性の正規のメダルか否かを最終的に検知しうるので、例えば正規のメダルと同形ではあるが、合成樹脂等よりなる非導電性の偽造メダルが投入された際に、それが検知される。従って、正規のメダルと誤認されて計数される恐れはない。
【００６８】
このように、上記の３条件の全てを満たしたとき、正規のメダルが１枚投入されたことが検出され、それが計数されてゲームが開始される。
【００６９】
本発明は、上記実施形態に限定されるものではない。
上記実施形態では、メダル検出手段(55)を、メダル通過方向検出手段(20)の下流側のメダルシュート(53)に設けているが、メダル通過方向検出手段(20)の上流側に設けることもある。
【００７０】
この際には、例えばセレクターベース(16)における傾斜路(21c)の壁面（後面）に、メダル(Ｍ)の前部側の側面が接触しうる第１端子を設けるとともに、底板(24)を合成樹脂製等として、その上面に、メダル(Ｍ)の下端外周面が接触する第２端子を設けるなどすればよい。
【００７１】
第１、第２端子(56)(57)は、転動通過するメダル(Ｍ)の２箇所に接触して導通信号を発するものであれば、形状や取付位置は特に限定されるものではない。  
また、メダル(Ｍ)の２個所以上と接触しうるように、端子を２個以上設けることもある。
【図面の簡単な説明】
【００７２】
【図１】本発明を適用した遊技機の正面図である。
【図２】同じく、前扉の要部の後面図である。
【図３】第１のメダル検出装置を備えるメダルセレクターの分解斜視図である。
【図４】同じく、メダルシュートを取付けた状態のメダルセレクターの後面図である。
【図５】図４のＶ−Ｖ線縦断側面図である。
【図６】同じく、VI−VI線縦断側面図である。
【図７】同じく、VII−VII線縦断側面図である。
【図８】メダルセレクターの一部とメダルシュートの平面図である。
【図９】同じく、側方より見た斜視図である。
【図１０】メダル通過方向検出手段とメダル検出手段のオン、オフタイミングと、それによるメダルの検出要領の説明図である。
【符号の説明】
【００７３】
(１)遊技機
(２)筺体
(2a)前扉
(2b)表示窓
(３)図柄表示装置
(3a)回胴体
(４)表示ランプ
(５)表示器
(６)メダル投入部
(７)スイッチ配置部
(８)払出口
(９)受け皿
(10)精算スイッチボタン
(11)１枚投入スイッチボタン
(12)ＭＡＸベットスイッチボタン
(13)スタートレバー
(14)ストップスイッチボタン
(15)メダルセレクター
(16)セレクターベース
(17)開閉ガイド板
(18)可動ガイドプレート
(18a)ガイド片
(18b)作動片
(18c)枢支片
(19)ソレノイド
(20)メダル通過方向検出手段
(21)メダル通路
(21a)垂直路
(21b)湾曲路
(21c)傾斜路
(22)出口孔
(23)突条
(24)底板
(25)ねじ
(26)支持片
(27)ピン
(28)ねじりばね
(29)排出口
(30)案内路
(31)ガイド凹溝
(32)カバープレート
(33)返却ダクト
(34)支持片
(35)リジェクトレバー
(35a)押圧片
(35b)下向片
(36)ピン
(37)開口
(38)リジェクトボタン
(39)支持片
(40)ねじりばね
(41)ピン
(42)垂下片 
(42a)後向突片
(43) 傾動板  
(43a)後向片
(44)復帰ばね
(45)基板
(45a)下向片
(45b)後向片
(46)投光器
(47)受光器
(48)反射板
(49)光軸
(50)ねじ
(51)(52) ハーネス
(53)メダルシュート
(54)案内路 
(54a)後壁面（内側面）
(54b)底面
(55)メダル検出手段
(56)第１端子
(57)第２端子
(Ｍ)メダル
【図１】
2005334212.tif 000003
【図２】
2005334212.tif 000004
【図３】
2005334212.tif 000005
【図４】
2005334212.tif 000006
【図５】
2005334212.tif 000007
【図６】
2005334212.tif 000008
【図７】
2005334212.tif 000009
【図８】
2005334212.tif 000010
【図９】
2005334212.tif 000011
【図１０】
2005334212.tif 000012